(57)【要約】【課題】受信した正しくないデータを適切に扱う。【解決手段】日付と１以上の所定項目の情報とが対応付けられている第１情報を、当該第１情報を受信した日時である第１受信日時とともに格納する記憶部と、日付と１以上の所定情報とが対応付けられている第２情報を受信する通信部と、記憶部に格納される第１情報を受信した日である第１受信日と通信部が第２情報を受信した日である第２受信日とが一致する場合、または、第１受信日と第２受信日とが異なり、かつ、第１情報に含まれる１以上の所定項目の情報と第２情報に含まれる１以上の所定項目の情報とが一致しない場合、第１情報及び第１受信日時を、第２情報及び第２情報を受信した日時である第２受信日時に書き換えて、新たな第１情報及び第１受信日時として記憶部に格納する制御部と、記憶部に格納される第１情報と第１受信日時に基づく情報を表示する表示部とを備える情報表示装置とする。【選択図】図３
2019191643.tif 000002
【特許請求の範囲】
【請求項１】
日付と１以上の所定項目の情報とが対応付けられている第１情報を、当該第１情報を受信した日時である第１受信日時とともに格納する記憶部と、
日付と１以上の所定項目の情報とが対応付けられている第２情報を受信する通信部と、
前記記憶部に格納される前記第１情報を受信した日である第１受信日と前記通信部が前記第２情報を受信した日である第２受信日とが一致する場合、または、
前記第１受信日と前記第２受信日とが異なり、かつ、前記第１情報に含まれる前記１以上の所定項目の情報と前記第２情報に含まれる前記１以上の所定項目の情報とが一致しない場合、
前記第１情報及び前記第１受信日時を、前記第２情報及び前記第２情報を受信した日時である第２受信日時に書き換えて、新たな前記第１情報及び前記第１受信日時として前記記憶部に格納する制御部と、
前記記憶部に格納される前記第１情報及び前記第１受信日時に基づく情報を表示する表示部と、
を備える情報表示装置。
【請求項２】
前記制御部は、
前記第１受信日と前記第２受信日とが異なり、かつ、前記第１情報に含まれる前記１以上の所定項目の情報と前記第２情報に含まれる前記１以上の所定項目の情報とが一致し、かつ、前記第１受信日時から前記第２受信日時までの時間が所定期間以上である場合、
前記第１情報及び前記第１受信日時を、前記第２情報及び前記第２受信日時に書き換えて、新たな前記第１情報及び前記第１受信日時として前記記憶部に格納する、
請求項１に記載の情報表示装置。
【請求項３】
前記制御部は、
前記第１受信日と前記第２受信日とが異なり、かつ、前記第１情報に含まれる前記１以上の所定項目の情報と前記第２情報に含まれる前記１以上の所定項目の情報とが一致し、かつ、前記第１受信日時から前記第２受信日時までの時間が所定期間未満である場合、
前記第２情報のうち、前記第２情報に含まれる前記１以上の所定項目の情報に対応付けられている日付を、当該日付の１日前の日付に変更した代替情報を生成し、
前記第１情報及び前記第１受信日時を、前記代替情報及び前記第２受信日時に書き換えて、新たな前記第１情報及び前記第１受信日時として前記記憶部に格納する、
請求項２に記載の情報表示装置。
【請求項４】
前記表示部は、前記第１情報に含まれる日付のうち１つの日付に対応付けられている前記１以上の所定項目の情報がない場合、前記１以上の所定項目の情報の代わりに、所定の文字情報を表示する、請求項３に記載の情報表示装置。
【請求項５】
前記１以上の所定項目は、気象情報に関する１以上の項目である、
請求項１から４のいずれか１項に記載の情報表示装置。
【請求項６】
日付と１以上の所定項目の情報とが対応付けられている第１情報を、当該第１情報を受信した日時である第１受信日時とともに格納し、
日付と１以上の所定項目の情報とが対応付けられている第２情報を受信し、
格納される前記第１情報を受信した日である第１受信日と前記第２情報を受信した日である第２受信日とが一致する場合、または、前記第１受信日と前記第２受信日とが異なり、かつ、前記第１情報に含まれる前記１以上の所定項目の情報と前記第２情報に含まれる前記１以上の所定項目の情報とが一致しない場合、前記第１情報及び前記第１受信日時を、前記第２情報及び前記第２情報を受信した日時である第２受信日時に書き換えて、新た
な前記第１情報及び前記第１受信日時として格納し、
格納された前記第１情報と前記第１受信日時に基づく情報を表示する、
を備える情報表示方法。
【発明の詳細な説明】
【技術分野】
【０００１】
本発明は、情報表示装置、情報表示方法に関する。
【背景技術】
【０００２】
ラジオ放送などの放送電波に、定期的もしくは常時、気象情報等の文字情報のデータを多重化して送信するサービスがある。ラジオなどの受信側の情報表示装置では、当該データを受信して、当該装置のディスプレイ等の表示部に、気象情報等を表示する。
【先行技術文献】
【特許文献】
【０００３】
【特許文献１】特開２０１０−２３０６３８号公報
【特許文献２】特開２００９−５５４８７号公報
【特許文献３】特開２００８−２５２７３２号公報
【発明の概要】
【発明が解決しようとする課題】
【０００４】
放送電波に付加される気象情報等の文字情報のデータには、本日、翌日、２日後の気象情報（天気、最高気温、最低気温など）がある。当該情報は、気象情報等と日付の情報が対応付けられて１まとまりのデータとして送信されるが、気象情報等と日付の情報の対応関係が正しくないことがある。受信したデータの情報の対応関係が正しくないと、受信側の情報表示装置で、正しい情報を表示できないおそれがある。
【０００５】
本発明は、受信した正しくない対応関係のデータを適切に扱うことができる情報表示装置等を提供することを目的とする。
【課題を解決するための手段】
【０００６】
上記課題を解決するため、本発明は、以下の手段を採用する。
即ち、第１の態様は、
日付と１以上の所定情報とが対応付けられている第１情報を、当該第１情報を受信した日時である第１受信日時とともに格納する記憶部と、
日付と１以上の所定情報とが対応付けられている第２情報を受信する通信部と、
前記記憶部に格納される前記第１情報を受信した日である第１受信日と前記通信部が前記第２情報を受信した日である第２受信日とが一致する場合、または、
前記第１受信日と前記第２受信日とが異なり、かつ、前記第１情報に含まれる前記１以上の所定情報と前記第２情報に含まれる前記１以上の所定情報とが一致しない場合、
前記第１情報及び前記第１受信日時を、前記第２情報及び前記第２情報を受信した日時である第２受信日時に書き換えて、新たな前記第１情報及び前記第１受信日時として前記記憶部に格納する制御部と、
前記記憶部に格納される前記第１情報と前記第１受信日時に基づく情報を表示する表示部と、
を備える情報表示装置とする。
【０００７】
開示の態様は、プログラムが情報処理装置によって実行されることによって実現されてもよい。即ち、開示の構成は、上記した態様における各手段が実行する処理を、情報処理装置に対して実行させるためのプログラム、或いは当該プログラムを記録したコンピュータ読み取り可能な記録媒体として特定することができる。また、開示の構成は、上記した各手段が実行する処理を情報処理装置が実行する方法をもって特定されてもよい。開示の
構成は、上記した各手段が実行する処理を行う情報処理装置を含むシステムとして特定されてもよい。
【発明の効果】
【０００８】
本発明によれば、受信した正しくないデータを適切に扱うことができる情報表示装置等を提供することができる。
【図面の簡単な説明】
【０００９】
【図１】図１は、実施形態の情報表示装置の機能ブロック図の例を示す図である。
【図２】図２は、情報処理装置のハードウェア構成例を示す図である。
【図３】図３は、実施形態の情報表示装置の動作フローの例を示す図である。
【図４】図４は、記憶部に格納される気象情報の新規受信データの例を示す図である。
【図５】図５は、記憶部に格納される気象情報の最新表示データの例を示す図である。
【図６】図６は、日付が異なったときで差異がない場合の新規受信データの例を示す図である。
【図７】図７は、表示部に表示される気象情報の例を示す図である。
【図８】図８は、実施形態の情報表示装置の動作フローの変形例を示す図である。
【図９】図９は、新規受信データの代替データの例を示す図である。
【図１０】図１０は、表示部に表示される気象情報の例を示す図である。
【発明を実施するための形態】
【００１０】
以下、図面を参照して本発明の実施形態について説明する。以下の実施形態の構成は例示であり、本発明は実施形態の構成に限定されない。
【００１１】
〈実施形態〉
（構成例）
図１は、本実施形態の情報表示装置の機能ブロック図の例を示す図である。情報表示装置１００は、通信部１０２、制御部１０４、記憶部１０６、表示部１０８を備える。
【００１２】
情報表示装置１００は、例えば、車両に搭載されるカーナビゲーションシステムにおけるミドルウェア、ソフトウェア、モジュール等として実現される。また、情報表示装置１００は、カーナビゲーションシステムに通信可能に接続されて実現されてもよい。情報表示装置１００は、カーナビゲーションシステムにおける出力手段として、動作しうる。また、各装置、機器は、それぞれ、カーナビゲーションシステムにおける構成部の１つとして実現されてもよい。
【００１３】
通信部１０２は、ラジオのＡＭ放送、ＦＭ放送等の放送電波を受信する。また、通信部１０２は、テレビ放送の放送電波を受信してもよい。放送電波には、ラジオ放送用やテレビ放送用の放送信号に多重化されて、気象情報等（例えば、文字情報）のデータを含む信号が含まれる。通信部１０２は、放送信号とともにデータ信号を受信する。通信部１０２は、放送電波を受信するアンテナに接続される。また、通信部１０２は、当該アンテナを含んでもよい。通信部１０２は、データ信号のみを受信してもよい。また、通信部１０２は、他の情報処理装置（携帯電話端末、サーバ）等との通信を行う。情報表示装置１００と他の情報処理装置とは、例えば、ネットワークを介して接続される。情報表示装置１００と他の情報処理装置とは、直接接続されてもよい。通信方法は、有線であっても無線であってもよい。通信部１０２は、気象情報等のデータを含む信号を、他の情報処理装置から受信してもよい。
【００１４】
制御部１０４は、情報表示装置１００の制御を行う。制御部１０４は、通信部１０２による放送電波の受信処理や再生処理を行う。制御部１０４は、気象情報等のデータを含む信号から、気象情報等を取り出し、記憶部１０６に格納し、表示部１０８に表示させる。また、制御部１０４は、気象情報等の誤りを検出する（気象情報等の正誤を判定する）。
【００１５】
記憶部１０６は、情報表示装置１００で使用されるデータ、テーブル、プログラム等を格納する。記憶部１０６は、通信部１０２で受信された気象情報等のデータを格納する。
【００１６】
表示部１０８は、放送を受信中の放送局の情報や、テレビ放送の画面、気象情報等を表示する。表示部１０８は、画像（映像）を表示するディスプレイと音響を出力するスピーカとを含み得る。
【００１７】
図２は、情報処理装置のハードウェア構成例を示す図である。図２に示す情報処理装置９０は、一般的なコンピュータの構成を有している。情報表示装置１００は、図２に示すような情報処理装置９０を用いることによって、実現される。図２の情報処理装置９０は、プロセッサ９１、メモリ９２、記憶部９３、入力部９４、出力部９５、通信制御部９６を有する。これらは、互いにバスによって接続される。メモリ９２及び記憶部９３は、コンピュータ読み取り可能な記録媒体である。情報処理装置のハードウェア構成は、図２に示される例に限らず、適宜構成要素の省略、置換、追加が行われてもよい。
【００１８】
情報処理装置９０は、プロセッサ９１が記録媒体に記憶されたプログラムをメモリ９２の作業領域にロードして実行し、プログラムの実行を通じて各構成部等が制御されることによって、所定の目的に合致した機能を実現することができる。
【００１９】
プロセッサ９１は、例えば、ＣＰＵ（Central Processing Unit）やＤＳＰ（Digital Signal Processor）である。
【００２０】
メモリ９２は、例えば、ＲＡＭ（Random Access Memory）やＲＯＭ（Read Only Memory）を含む。メモリ９２は、主記憶部、主記憶装置とも呼ばれる。
【００２１】
記憶部９３は、例えば、ＥＰＲＯＭ（Erasable Programmable ROM）、ハードディスク
ドライブ（ＨＤＤ、Hard Disk Drive）である。また、記憶部９３は、リムーバブルメデ
ィア、即ち可搬記録媒体を含むことができる。リムーバブルメディアは、例えば、ＵＳＢ（Universal Serial Bus）メモリ、あるいは、ＣＤ（Compact Disc）やＤＶＤ（Digital Versatile Disc）のようなディスク記録媒体である。記憶部９３は、二次記憶部、二次記憶装置とも呼ばれる。
【００２２】
記憶部９３は、情報処理装置９０で使用される、各種のプログラム、各種のデータ及び各種のテーブルを読み書き自在に記録媒体に格納する。記憶部９３には、オペレーティングシステム（Operating System :ＯＳ）、各種プログラム、各種テーブル等が格納される。記憶部９３に格納される情報は、メモリ９２に格納されてもよい。また、メモリ９２に格納される情報は、記憶部９３に格納されてもよい。
【００２３】
オペレーティングシステムは、ソフトウェアとハードウェアとの仲介、メモリ空間の管理、ファイル管理、プロセスやタスクの管理等を行うソフトウェアである。オペレーティングシステムは、通信インタフェースを含む。通信インタフェースは、通信制御部９６を介して接続される他の外部装置等とデータのやり取りを行うプログラムである。外部装置等には、例えば、他の情報処理装置、外部記憶装置等が含まれる。
【００２４】
入力部９４は、キーボード、ポインティングデバイス、ワイヤレスリモコン、タッチパ
ネル等を含む。また、入力部９４は、カメラのような映像や画像の入力装置や、マイクロフォンのような音声の入力装置を含むことができる。
【００２５】
出力部９５は、ＬＣＤ（Liquid Crystal Display）、ＥＬ（Electroluminescence）パ
ネル、ＣＲＴ（Cathode Ray Tube）ディスプレイ、ＰＤＰ（Plasma Display Panel）等の表示装置、プリンタ等の出力装置を含む。また、出力部９５は、スピーカのような音声の出力装置を含むことができる。
【００２６】
通信制御部９６は、他の装置と接続し、情報処理装置９０と他の装置との間の通信を制御する。通信制御部９６は、例えば、ＬＡＮ（Local Area Network）インタフェースボード、無線通信のための無線通信回路、有線通信のための通信回路である。ＬＡＮインタフェースボードや無線通信回路は、インターネット等のネットワークに接続される。通信制御部９６は、放送電波等を受信するアンテナ等に接続されて、放送電波等を受信し得る。
【００２７】
情報処理装置９０は、プロセッサが二次記憶部に記憶されたプログラムを主記憶部の作業領域に実行可能に展開し、プログラムの実行を通じて周辺機器等の制御を行う。これにより、情報処理装置は、所定の目的に合致した機能を実現することができる。主記憶部及び二次記憶部は、情報処理装置が読み取り可能な記録媒体である。
【００２８】
通信部１０２は、プロセッサ９１、通信制御部９６等によって実現され得る。制御部１０４は、プロセッサ９１等によって実現され得る。記憶部１０６は、メモリ９２、記憶部９３等によって実現され得る。表示部１０８は、プロセッサ９１、出力部９５等によって実現され得る。
【００２９】
（動作例）
図３は、本実施形態の情報表示装置の動作フローの例を示す図である。当該動作フローは、情報表示装置１００が動作している間、繰り返される。ここでは、情報表示装置１００が、気象情報を含むデータを受信し、当該データの正誤を判断して、表示するデータを変更する。気象情報を含むデータでは、日付が変わったときに、気象情報に含まれる日付（曜日）の情報と他の情報との対応関係がずれることがある。具体的には、日付が変わると、日付の情報は速やかに更新される一方、気象情報等はしばらく（数十分から数時間程度）遅れてから更新されることがある。そのため、日付が更新されてから気象情報等が更新されるまでの期間、日付の情報と気象情報等の間にずれが生じることになる。情報表示装置１００は、当該ずれ（日付の情報と気象情報等の対応関係の間違い）を検出して、当該ずれを修正する。図３の動作フローは、所定時間毎、例えば、１０分毎に実行される。
【００３０】
Ｓ１０１では、情報表示装置１００の通信部１０２は、気象情報のデータを含むラジオ放送の放送電波等を受信する。制御部１０４は、通信部１０２で受信された放送電波等から気象情報のデータを抽出し、記憶部１０６に格納する。当該データは、気象情報の新規受信データ（new）として、記憶部１０６に格納される。
【００３１】
図４は、記憶部に格納される気象情報の新規受信データの例を示す図である。図４の新規受信データ（new）には、曜日に対応づけられた、３日分の天気、最高気温、最低気温
の項目が含まれている。天気、最高気温、最低気温等は、所定項目の例である。例えば、曜日「金曜日」に対して、天気「晴れ」、最高気温「華氏６０度」、最低気温「華氏３８度」が対応付けられている。また、曜日「土曜日」、曜日「日曜日」に対しても同様である。ここでは、金曜日は受信の当日、土曜日は受信の翌日、日曜日は受信の翌々日を示す。また、当該新規受信データには、当該データを受信した日時である受信日時、気象情報を示す都市名（地域名）も、含まれる。ここでは、受信日時は、２０１７年９月８日金曜日２３時５０分である。曜日（金曜日、土曜日など）の代わりに日付（８日、９日など）
等が、使用されてもよい。曜日、日付を総称して日付ともいう。情報表示装置１００が受信する気象情報は、３日分に限定されるものではなく、例えば、１日分であっても、７日分であってもよい。また、気象情報に含まれるデータは、天気、最高気温、最低気温以外の情報、例えば、湿度、降水確率等を含んでもよい。情報表示装置１００の通信部１０２は、複数の都市（地域）の気象情報のデータを受信してもよい。
【００３２】
また、記憶部１０６には、過去に受信して、現在、表示部１０８における表示に使用されている気象情報の最新表示データ（latest）が格納されている。
【００３３】
図５は、記憶部に格納される気象情報の最新表示データの例を示す図である。図５の最新表示データ（latest）には、新規受信データと同様に、曜日に対応付けられた、３日分の天気、最高気温、最低気温が含まれている。気象情報の最新表示データに含まれる項目等については、新規受信データと同様である。ここでは、受信日時は、２０１７年９月８日金曜日２３時４０分である。
【００３４】
Ｓ１０２では、制御部１０４は、記憶部１０６に格納される最新表示データ（latest）の受信日時と新規受信データ（new）の受信日時とを比較し、日付が異なっているか否か
を判定する。日付が異なっていることは、最新表示データ（latest）の気象情報を受信してから、新規受信データ（new）の気象情報を受信するまでに、日付をまたいでいること
を意味する。つまり、日付が異なっていることは、最新表示データ（latest）の気象情報を受信してから、新規受信データ（new）の気象情報を受信するまでに、日付が変わった
ことを意味する。日付が変わった後の気象情報のデータには、日付と天気等とがずれていることがある。そこで、日付が変わった後には、日付と天気とがずれているか否かをＳ１０２以降で判断する。
【００３５】
日付が異なっていない場合（Ｓ１０２；ＮＯ）、処理がＳ１０５に進む。日付が異なっている場合（Ｓ１０２；ＹＥＳ）、処理がＳ１０３に進む。
【００３６】
Ｓ１０３では、制御部１０４は、最新表示データと新規受信データとで、曜日（日付）以外の部分を比較し、差異の有無を判断する。ここで、最新表示データには、「金曜日」「土曜日」「日曜日」の天気等が含まれており、新規受信データには、「土曜日」「日曜日」「月曜日」の天気等が含まれているとする。このとき、制御部１０４は、同じ都市（地域）のデータについて、最新表示データの第１日目である「金曜日」の天気等（天気、最高気温、最低気温など）と、新規受信データの第１日目である「土曜日」の天気等（天気、最高気温、最低気温など）とを、それぞれ、比較する。また、制御部１０４は、同様に、それぞれのデータの第２日目、第３日目の天気等を比較する。制御部１０４は、少なくともいずれか１つの項目（例えば、第１日目の天気）が異なる場合、差異ありと判断する。また、制御部１０４は、いずれの項目も一致する場合、差異なしと判断する。差異ありと判断する場合（Ｓ１０３；ＹＥＳ）、処理がＳ１０５に進む。差異なしと判断する場合（Ｓ１０３；ＮＯ）、処理がＳ１０４に進む。
【００３７】
図６は、日付が異なったときで差異がない場合の新規受信データの例を示す図である。図５の最新表示データと、図６の新規受信データとを比較すると、第１日目から第３日目までの曜日は異なっているが、第１日目から第３日目までの天気、最高気温、最低気温は一致している。このような新規受信データは、日付が変わった際に曜日の情報だけが更新され、天気、最高気温、最低気温等の気象情報が更新されていないために、曜日の情報と気象情報との対応関係が間違っていると考えられる。よって、ここでは、第１日目から第３日目までの天気、最高気温、最低気温が一致したとき、新規受信データの曜日の情報と気象情報の対応関係が間違っているとみなす。
【００３８】
Ｓ１０４では、制御部１０４は、同じ都市のデータで、最新表示データの受信日時から現在日時までの時間が所定期間以上であるか否かを判定する。最新表示データの受信日時から現在日時までの時間の代わりに、午前０時から現在日時までの時間であってもよい。曜日の情報と気象情報の対応関係の間違いのデータが送信される可能性がある時間帯、すなわち曜日の情報だけが更新され、気象情報が更新されていない状態が生じる時間帯が分かっている場合に、午前０時から現在日時までの時間で判定することで、気象情報が更新されているにもかかわらず、曜日の情報と気象情報の対応関係が間違っていると判断し続けてしまうことを回避することができる。当該所定期間以上であっても最新表示データと新規受信データとの間で曜日（日付）以外の項目が一致している場合、制御部１０４は、新規受信データの曜日の情報と気象情報の対応関係は正しいものと判断する。所定期間は、例えば、３０分間から５時間までのいずれかの期間とすることが好ましい。所定期間は、これに限定されるものではない。ここでは、Ｓ１０３でＮＯでも、最新表示データの受信日時から現在日時までの時間が所定期間以上である場合、最新表示データの気象情報を受信してから新規受信データの気象情報を受信するまでの間に気象情報が正しく更新されているものの金曜日から月曜日までの、天気、最高気温、最低気温のすべてが偶然一致しているために、気象情報が更新されていないように見えているものとみなす。所定期間以上である場合（Ｓ１０４；ＹＥＳ）、処理がＳ１０５に進む。所定期間未満である場合（Ｓ１０４；ＮＯ）、処理がＳ１０６に進む。
【００３９】
Ｓ１０４でＮＯである場合に、制御部１０４は、記憶部１０６に格納される最新表示データの受信日時を、新規受信データの受信日時に更新してもよい。これにより、曜日の情報と気象情報の対応関係が間違っているとみなされる場合でも、受信時刻を更新することができる。
【００４０】
Ｓ１０５では、制御部１０４は、最新表示データを更新する。制御部１０４は、記憶部１０６に格納される最新表示データの内容を、新規受信データの内容に書き換えて、新たな最新表示データとして、記憶部１０６に格納する。これにより、最新表示データが更新される。
【００４１】
Ｓ１０６では、制御部１０４は、記憶部１０６に格納される最新表示データを抽出し、当該最新表示データに基づく気象情報を、表示部１０８に出力させる。また、制御部１０４は、情報表示装置１００の利用者の指示になどにより、当該気象情報を表示部１０８に表示させてもよい。
【００４２】
図７は、表示部に表示される気象情報の例を示す図である。表示部１０８は、制御部１０４の指示にしたがって、気象情報の都市名、曜日、天気、最高気温、最低気温等の気象情報を表示する。天気の表示は、天気を示す文字（晴れ、曇りなど）とともに、若しくは、天気を示す文字の代わりに、例えば、天気を示すイラスト（曇りであれば雲のイラスト、雨であれば傘のイラスト）等の表示であってもよい。また、受信してからの経過時間（何分前に受信したかの情報）が表示されてもよい。受信からの経過時間は、最新表示データに含まれる受信時刻と現在時刻との差分により求めることができる。受信からの経過時間が、所定時間（例えば５分）未満である場合、受信からの経過時間を「現在（now）」
としてもよい。ここで、表示される気象情報の曜日（日付）が、現在日時から見て過去のものとなっている場合、当該曜日（日付）の気象情報を表示しないようにしてもよい。これにより、過去を予測した気象情報のような不要なデータを表示しないようにできる。
【００４３】
複数の都市（地域）の気象情報のデータが存在する場合には、それぞれの都市（地域）の気象情報のデータについて、上記のフローが実行される。
【００４４】
ここでは、情報表示装置１００で扱う情報を気象情報（天気など）としたが、情報表示
装置１００で扱う情報は、気象情報に限らず、日付ごとに提供される他の情報であってもよい。
【００４５】
（実施形態の作用、効果）
情報表示装置１００は、放送電波などに多重化される気象情報等のデータを受信する。情報表示装置１００は、受信した気象情報等のデータと、過去に受信したデータとの受信日時を比較する。情報表示装置１００は、比較の結果、日付が異なる場合に、気象情報等のデータの第１日目、第２日目等の項目同士を比較して、差異があるか否かを判定する。差異がないとき、情報表示装置１００は、両データの受信日時の間の期間が所定期間未満である場合、気象情報のデータを更新しない。このとき、情報表示装置１００は、受信した新規受信データの曜日（日付）の情報と他の情報の対応関係が間違っているとみなす。これにより、情報表示装置１００は、日付が変わった後に受信した気象情報のデータの曜日（日付）の情報と他の情報の対応関係が間違っていたとしても、当該間違いを検出し、当該データを使用しないようにできる。日付が変わった際に、情報表示装置１００の利用者は、日付のみが先に更新されて天気等の情報が遅れて更新される場合に、日付が変わっただけで土曜日の予報が日曜日の予報に変わったように見えてしまう様な現象を抑制することができる。情報表示装置１００は、日付だけがずれている気象情報等のデータを受信した場合に、当該データを使用しないことで、利用者に不要な混乱を与えることを防止することができる。また、差異がないときでも、情報表示装置１００は、両データの受信日時の間の期間が所定期間以上である場合、気象情報のデータを更新する。これにより、情報表示装置１００は、日付が変わった後に受信した気象情報のデータの日付以外が一致したときに、所定時間以上である場合には、日付の情報と他の情報の対応関係の間違いでないと判断し、データを更新できる。
【００４６】
（変形例）
次に上記の動作例の変形例について説明する。当該変形例は、上記の動作例との共通点を有する。従って、主として相違点について説明し、共通点については、説明を省略する。
【００４７】
図８は、本実施形態の情報表示装置の動作フローの変形例を示す図である。当該動作フローは、情報表示装置１００が動作している間、繰り返される。図８の動作フローのＳ２０１からＳ２０５までは、図３の動作フローのＳ１０１からＳ１０５までと同様である。ただし、Ｓ２０４で、所定期間未満である場合（Ｓ２０４；ＮＯ）、処理がＳ２０６に進む。
【００４８】
Ｓ２０６では、制御部１０４は、最新表示データを代替データ（代替情報）で更新する。制御部１０４は、新規受信データの第２日目の天気等を新たな第１日目の天気等とし、新規受信データの第３日目の天気等を新たな第２日目の天気等とし、新たな第３日目の天気等を空欄とする、新規受信データの代替データを生成する。即ち、制御部１０４は、最新表示データに含まれる情報のうち、ある日の日付の天気等の気象情報を当該ある日の１日前の日付の天気等の情報に変更したものを代替データとする。制御部１０４は、当該１日前の日付が、現在日時の日付よりも前の日付である場合、当該日付と、当該日付に対応付けられている天気等とを、当該代替データに含めなくてもよい。制御部１０４は、記憶部１０６に格納される最新表示データの内容を、生成した代替データの内容に書き換えて、新たな最新表示データとして、記憶部１０６に格納する。これにより、最新表示データが更新される。
【００４９】
図９は、新規受信データの代替データの例を示す図である。図６の新規受信データと、図９の代替データとを比較すると、第１日目から第３日目までの曜日は同じであるが、新規受信データの第２日目、第３日目の天気等が、それぞれ、代替データの第１日目、第２
日目の天気等と一致している。また、代替データの第３日目の天気等は、空欄となっている。代替データの第１日目（土曜日）、第２日目（日曜日）の天気等は、それぞれ、図５の更新前の最新表示データの第２日目（土曜日）、第３日目（日曜日）の天気等と一致している。
【００５０】
Ｓ２０７では、制御部１０４は、記憶部１０６に格納される最新表示データを抽出し、当該最新表示データに基づく気象情報を、表示部１０８に出力させる。また、制御部１０４は、情報表示装置１００の利用者の指示になどにより、当該気象情報を表示部１０８に表示させてもよい。ここで、最新表示データの天気等が空欄であった場合、制御部１０４は、当該天気等を「更新中」などの所定の文字情報で表示する。所定の文字情報は、天気等の情報を未だ受信していないこと等を示す文字情報である。また、制御部１０４は、当該天気等を、「更新中」等の文字情報の代わりに空欄としてもよい。所定の文字情報には、空欄も含まれる。このようにすることで、制御部１０４は、天気等の情報が更新されるまでの間、更新された日付情報に合わせて、天気等の気象情報をずらすことで、日付の情報と気象情報の対応関係が正しくなるようにずらした代替データで、最新表示データを更新して代替表示を行う。また、制御部１０４は、気象情報を受信できていない第３日目（月曜日）の天気等の気象情報を「更新中」などの所定の文字情報で表示する。
【００５１】
図１０は、表示部に表示される気象情報の例を示す図である。表示部１０８は、制御部１０４の指示にしたがって、気象情報の都市名、曜日、天気、最高気温、最低気温等の気象情報を表示する。ここでは、最新表示データとしての代替データ（図９）において、月曜日の天気等が空欄であるため、制御部１０４は、表示部１０８に、月曜日の天気等として「更新中」と表示させる。
【００５２】
なお、Ｓ２０６で最新受信データを代替データで書き換えた後は、Ｓ２０３（Ｓ１０３と同様）の処理において、最新表示データの第ｎ日目の天気等と、新規受信データの第ｎ＋１日目の天気等とを、それぞれ比較する。ここで、ｎは、１≦ｎ≦Ｎ−１を満たすすべての自然数である。Ｎは、新規受信データに含まれている天気等に対応付けられている日付の数である。図５などの例では、Ｎ＝３（金曜日、土曜日、日曜日）である。制御部１０４は、比較したいずれの項目も一致する場合、差異なしと判断する。差異ありと判断する場合（Ｓ２０３；ＹＥＳ）、処理がＳ２０５に進む。差異なしと判断する場合（Ｓ２０３；ＮＯ）、処理がＳ２０４に進む。このＳ２０３の処理は、Ｓ２０６で最新受信データを代替データで書き換えた後に最初にＳ２０３の処理を行う際に、行われる。これにより、天気等の情報と日付の情報との対応関係が間違っている最新受信データを連続して受信した場合であっても、適切に、データの更新が行われる。
【００５３】
情報表示装置１００は、放送電波などに多重化される気象情報等のデータを受信する。情報表示装置１００は、受信した気象情報等のデータと、過去に受信したデータとの受信日時を比較する。情報表示装置１００は、比較の結果、日付が異なる場合に、気象情報等のデータの第１日目、第２日目等の項目同士を比較して、差異があるか否かを判定する。差異がないとき、情報表示装置１００は、両データの受信日時の間の期間が所定期間未満である場合、気象情報のデータを、代替データで更新する。このとき、情報表示装置１００は、受信した新規受信データの曜日（日付）の情報と他の情報の対応関係が間違っているとみなす。これにより、情報表示装置１００は、日付が変わった後に受信した気象情報のデータの曜日（日付）の情報と他の情報の対応関係が間違っていたとしても、当該間違いを検出し、当該データを修正して使用するようにできる。
【００５４】
〈コンピュータ読み取り可能な記録媒体〉
コンピュータその他の機械、装置（以下、コンピュータ等）に上記いずれかの機能を実現させるプログラムをコンピュータ等が読み取り可能な記録媒体に記録することができる
。そして、コンピュータ等に、この記録媒体のプログラムを読み込ませて実行させることにより、その機能を提供させることができる。
【００５５】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体内には、ＣＰＵ、メモリ等のコンピュータを構成する要素を設け、そのＣＰＵにプログラムを実行させてもよい。
【００５６】
また、このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。
【００５７】
また、コンピュータ等に固定された記録媒体としてハードディスクやＲＯＭ等がある。
【００５８】
以上、本発明の実施形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【００５９】
９０      情報処理装置
９１        プロセッサ
９２        メモリ
９３        記憶部
９４        入力部
９５        出力部
９６        通信制御部
１００      情報表示装置
１０２        通信部
１０４        制御部
１０６        記憶部
１０８        表示部
【図１】
2019191643.tif 000003
【図２】
2019191643.tif 000004
【図３】
2019191643.tif 000005
【図４】
2019191643.tif 000006
【図５】
2019191643.tif 000007
【図６】
2019191643.tif 000008
【図７】
2019191643.tif 000009
【図８】
2019191643.tif 000010
【図９】
2019191643.tif 000011
【図１０】
2019191643.tif 000012